(57)【要約】【課題】鍋を加熱する加熱手段を駆動する駆動手段を制御手段により制御するよう構成した炊飯器において、制御手段に通電切換手段を制御する専用出力を付与せずとも通電切換手段を制御できるようにし、動作不要時における不要な消費電力を低減する。【解決手段】鍋１を加熱する加熱手段２を駆動手段３により駆動し、炊飯器の動作を制御手段４により制御し、商用交流電源７を直流電力に変換する第１の電源回路８により制御手段４と入力手段５と表示手段６に電力を供給し、商用交流電源７を直流電力に変換する第２の電源回路９により駆動手段３に電力を供給し、商用交流電源７と第２の電源回路９の間に通電切換手段１０を配置し商用交流電源７から第２の電源回路９への電力供給を可能とする通電状態もしくは電力供給を停止する停止状態に切り換える。通電切換手段１０は、制御手段４からの非専用出力により制御されるよう構成する。【選択図】図１
2005130990.tif 000002
【特許請求の範囲】
【請求項１】
鍋を加熱する加熱手段と、前記加熱手段を駆動する駆動手段と、炊飯器の動作を制御する制御手段と、前記制御手段に所定の信号を入力する入力手段と、炊飯器の状態を表示する表示手段と、商用交流電源を直流電力に変換し少なくとも前記制御手段と前記入力手段と前記表示手段に電力を供給する出力電圧Ｖ１を出力する第１の電源回路と、前記商用交流電源を直流電力に変換し少なくとも前記駆動手段に電力を供給する出力電圧Ｖ２を出力する第２の電源回路と、前記商用交流電源と前記第２の電源回路の間に配置し前記商用交流電源から前記第２の電源回路への電力供給を可能とする通電状態もしくは電力供給を停止する停止状態に切り換える通電切換手段とを備え、前記通電切換手段は、前記制御手段からの非専用出力により制御されるよう構成した炊飯器。
【請求項２】
通電切換手段は、制御手段から表示手段への出力信号により制御されるよう構成した請求項１記載の炊飯器。
【請求項３】
通電切換手段は、制御手段から駆動手段への出力信号により制御されるよう構成した請求項１記載の炊飯器。
【請求項４】
入力された信号を所定の時間遅延出力する遅延手段を備え、駆動手段への信号入力が通電切換手段への信号入力よりも所定の時間遅れるよう構成した請求項３記載の炊飯器。
【請求項５】
鍋を加熱する加熱手段と、前記加熱手段を駆動する駆動手段と、炊飯器の動作を制御する制御手段と、前記制御手段に所定の信号を入力する入力手段と、炊飯器の状態を表示する表示手段と、商用交流電源を直流電力に変換し少なくとも前記制御手段と前記入力手段と前記表示手段に電力を供給する出力電圧Ｖ１を出力する第１の電源回路と、前記商用交流電源を直流電力に変換し少なくとも前記駆動手段に電力を供給する出力電圧Ｖ２を出力する第２の電源回路と、前記商用交流電源と前記第２の電源回路の間に配置し前記商用交流電源から前記第２の電源回路への電力供給を可能とする通電状態もしくは電力供給を停止する停止状態に切り換える通電切換手段とを備え、前記駆動手段は、前記通電切換手段により制御されるよう構成した炊飯器。
【請求項６】
入力された信号を所定の時間遅延出力する遅延手段を備え、前記遅延手段は通電切換手段から駆動手段への信号を所定の時間遅延するよう構成した請求項５記載の炊飯器。
【請求項７】
第２の制御手段を備え、前記第２の制御手段は第２の電源回路の出力が所定の電圧以上であることを検知すると駆動手段を駆動し続けるよう構成した請求項５記載の炊飯器。
【発明の詳細な説明】
【技術分野】
【０００１】
本発明は、鍋を加熱する加熱手段を駆動手段により駆動し、駆動手段を炊飯器の動作を制御する制御手段により制御するよう構成した炊飯器に関するものである。
【背景技術】
【０００２】
従来、この種の炊飯器は図７に示すように構成していた。以下、その構成について説明する。
【０００３】
図７に示すように、鍋２１は、駆動手段２３により駆動される加熱手段２２により加熱する。マイクロコンピュータ２４は、炊飯器の動作を制御するもので、入力手段２５より所定の信号を入力する。第１の電源回路２６は、商用交流電源２７を直流電力に変換して出力電圧Ｖ１を出力し、マイクロコンピュータ２４と入力手段２５に電力を供給している。第２の電源回路２８は、商用交流電源２７を直流電力に変換して出力電圧Ｖ２を出力し、駆動手段２３に電力を供給している。通電切換手段２９は、商用交流電源２７からの電力供給を可能とする通電状態もしくは電力供給を停止する停止状態に切り換え、商用交流電源２７から第２の電源回路２８とを切り離すよう構成している。なお、３０はファンモータであり、３１は直流電源である（例えば、特許文献１参照）。
【特許文献１】特開２００３−１３５２７２号公報
【発明の開示】
【発明が解決しようとする課題】
【０００４】
しかしながら、このような従来の構成では、通電切換手段２９はマイクロコンピュータ２４からの専用出力により制御されるので、通電切換手段２９を制御するプログラムが実装されておらず、かつ通電切換手段２９用の出力ポートが用意していないマイクロコンピュータを使用する炊飯器においては、通電切換手段２９を制御することができず、動作不要時の不要な電力消費を低減することができないという問題を有していた。
【０００５】
また、マイクロコンピュータ２４は通電切換手段２９のための出力ポートを使用しなければならず、より出力ポート数が多いマイクロコンピュータを使用しなければならない場合を生じ得る。また、通電切換手段２９への出力ポートからの信号線をプリント配線板上に配線せざるを得ず、このことによりプリント配線板の効率的な配線を阻害するという問題を有していた。
【０００６】
本発明は上記従来の課題を解決するもので、制御手段に通電切換手段を制御する専用出力を付与せずとも通電切換手段を制御できるようにし、動作不要時における不要な消費電力を低減することを目的としている。
【課題を解決するための手段】
【０００７】
本発明は上記目的を達成するために、鍋を加熱する加熱手段を駆動手段により駆動し、炊飯器の動作を制御する制御手段に入力手段より所定の信号を入力し、炊飯器の状態を表示手段により表示し、商用交流電源を直流電力に変換し出力電圧Ｖ１を出力する第１の電源回路により少なくとも制御手段と入力手段と表示手段に電力を供給し、商用交流電源を直流電力に変換し出力電圧Ｖ２を出力する第２の電源回路により少なくとも駆動手段に電力を供給し、商用交流電源と第２の電源回路の間に通電切換手段を配置し商用交流電源から第２の電源回路への電力供給を可能とする通電状態もしくは電力供給を停止する停止状態に切り換えるよう構成し、通電切換手段は、制御手段からの非専用出力により制御されるよう構成したものである。
【０００８】
これにより、通電切換手段の制御は制御手段から通電切換手段を制御する専用の出力機能を設けずとも行うことができ、動作不要な回路における不要な電力消費を低減することができる。
【発明の効果】
【０００９】
本発明の炊飯器は、制御手段に通電切換手段を制御する専用出力を付与せずとも通電切換手段を制御することができ、動作不要時における不要な消費電力を低減することができる。
【発明を実施するための最良の形態】
【００１０】
第１の発明は、鍋を加熱する加熱手段と、前記加熱手段を駆動する駆動手段と、炊飯器の動作を制御する制御手段と、前記制御手段に所定の信号を入力する入力手段と、炊飯器の状態を表示する表示手段と、商用交流電源を直流電力に変換し少なくとも前記制御手段と前記入力手段と前記表示手段に電力を供給する出力電圧Ｖ１を出力する第１の電源回路と、前記商用交流電源を直流電力に変換し少なくとも前記駆動手段に電力を供給する出力電圧Ｖ２を出力する第２の電源回路と、前記商用交流電源と前記第２の電源回路の間に配置し前記商用交流電源から前記第２の電源回路への電力供給を可能とする通電状態もしくは電力供給を停止する停止状態に切り換える通電切換手段とを備え、前記通電切換手段は、前記制御手段からの非専用出力により制御されるよう構成したものであり、制御手段から通電切換手段を制御する専用の出力機能を設けずとも通電切換手段を制御することができ、制御手段に通電切換手段を制御する専用出力を付与せずとも通電切換手段を制御し動作不要時における不要な消費電力を低減することができる。
【００１１】
第２の発明は、上記第１の発明において、通電切換手段は、制御手段から表示手段への出力信号により制御されるよう構成したものであり、制御手段に通電切換手段を制御する専用出力を付与せずとも通電切換手段を制御できるようになり、動作不要時における不要な消費電力を低減することができる。
【００１２】
第３の発明は、上記第１の発明において、通電切換手段は、制御手段から駆動手段への出力信号により制御されるよう構成したものであり、制御手段に通電切換手段を制御する専用出力を付与せずとも通電切換手段を制御できるようになり、動作不要時における不要な消費電力を低減することができる。
【００１３】
第４の発明は、上記第３の発明において、入力された信号を所定の時間遅延出力する遅延手段を備え、駆動手段への信号入力が通電切換手段への信号入力よりも所定の時間遅れるよう構成したものであり、第２の電源回路から駆動手段へ電力供給が開始された後に駆動手段を動作させることになり、駆動手段を確実に動作させることができる。
【００１４】
第５の発明は、鍋を加熱する加熱手段と、前記加熱手段を駆動する駆動手段と、炊飯器の動作を制御する制御手段と、前記制御手段に所定の信号を入力する入力手段と、炊飯器の状態を表示する表示手段と、商用交流電源を直流電力に変換し少なくとも前記制御手段と前記入力手段と前記表示手段に電力を供給する出力電圧Ｖ１を出力する第１の電源回路と、前記商用交流電源を直流電力に変換し少なくとも前記駆動手段に電力を供給する出力電圧Ｖ２を出力する第２の電源回路と、前記商用交流電源と前記第２の電源回路の間に配置し前記商用交流電源から前記第２の電源回路への電力供給を可能とする通電状態もしくは電力供給を停止する停止状態に切り換える通電切換手段とを備え、前記駆動手段は、前記通電切換手段により制御されるよう構成したものであり、制御手段から通電切換手段を制御する専用の出力機能を設けずとも通電切換手段を制御することができ、制御手段に通電切換手段を制御する専用出力を付与せずとも通電切換手段を制御し動作不要時における不要な消費電力を低減することができる。
【００１５】
第６の発明は、上記第５の発明において、入力された信号を所定の時間遅延出力する遅延手段を備え、前記遅延手段は通電切換手段から駆動手段への信号を所定の時間遅延するよう構成したものであり、第２の電源回路から所定の出力電圧が駆動手段へ供給された後に駆動手段を動作させることになり、駆動手段を確実に動作させることができる。
【００１６】
第７の発明は、上記第５の発明において、第２の制御手段を備え、前記第２の制御手段は第２の電源回路の出力が所定の電圧以上であることを検知すると駆動手段を駆動し続けるよう構成したものであり、第２の電源回路が出力を開始し所定の出力電圧以上の出力となった後に駆動手段を動作させることになり、駆動手段を確実に動作させることができる。
【００１７】
以下、本発明の実施の形態について、図面を参照しながら説明する。なお、この実施の形態によって本発明が限定されるものではない。
【００１８】
（実施の形態１）
図１は、本発明の実施の形態１の炊飯器のブロック図を示すものである。
【００１９】
図１に示すように、鍋１は、駆動手段３により駆動される加熱手段２により加熱する。制御手段４は、炊飯器の動作を制御するもので、入力手段５より所定の信号を入力する。表示手段６は、炊飯器の状態を表示するもので、少なくとも炊飯モード中に点灯する炊飯ＬＥＤ６ａと保温モード中に点灯する保温ＬＥＤ６ｂとで構成している。
【００２０】
第１の電源回路８は、商用交流電源７を直流電力に変換して出力電圧Ｖ１を出力し、制御手段４と入力手段５と表示手段６に電力を供給している。第２の電源回路９は、商用交流電源７を直流電力に変換して出力電圧Ｖ２を出力し、駆動手段３に電力を供給している。
【００２１】
通電切換手段１０は、商用交流電源７と第２の電源回路９の間に配置し、商用交流電源７から第２の電源回路９への電力供給を可能とする通電状態、または電力供給を停止する停止状態に切り換えるもので、この通電切換手段１０は、制御手段４からの非専用出力により制御されるよう構成しており、制御手段４から表示手段６への信号により動作するよう構成しており、かつ通電切換手段１０は炊飯ＬＥＤ６ａあるいは保温ＬＥＤ６ｂの少なくともいずれか一方が点灯すると通電状態になるよう構成している。
【００２２】
上記構成において動作を説明する。まず、炊飯器が商用交流電源７に接続されると、第１の電源回路８は商用交流電源７を直流電圧に変換して出力電圧Ｖ１を制御手段４と入力手段５と表示手段６に供給する。制御手段４は待機状態においては炊飯ＬＥＤ６ａと保温ＬＥＤ６ｂを点灯する必要がないので、炊飯ＬＥＤ６ａと保温ＬＥＤ６ｂには消灯する信号が出力されている。この待機状態において、駆動手段３についても動作させる必要のない状態であることから駆動手段３には通電切換手段１０から出力電圧Ｖ２を供給しなくともよく、炊飯ＬＥＤ６ａと保温ＬＥＤ６ｂを消灯する制御手段４からの信号を用いて通電切換手段１０を停止状態とすることで、待機状態における第２の電源回路９での不要な電力消費を低減することができる。
【００２３】
その後、使用者が入力手段５を操作し炊飯モードに設定すると、制御手段４は炊飯ＬＥＤ６ａを点灯させる信号を出力する。もしくは使用者が入力手段５を操作しあるいは炊飯モードを終えると保温モードとなり、制御手段４は保温ＬＥＤ６ｂを点灯させる信号を出力する。炊飯モードあるいは保温モードにおいては、駆動手段３についても動作させる必要のある状態でもあるので、駆動手段３には通電切換手段１０から出力電圧Ｖ２を供給しなければならず、制御手段４から出力される炊飯ＬＥＤ６ａあるいは保温ＬＥＤ６ｂいずれか一方を点灯させる信号を用いて通電切換手段１０を通電状態とする。
【００２４】
これにより、駆動手段３へ第２の電源回路９から電力が供給されることになり、駆動手段３は制御手段４からの信号に応じて加熱手段２を駆動し、加熱手段２を動作させ鍋１を加熱し炊飯あるいは保温を行う。
【００２５】
以上のように、本実施の形態においては、通電切換手段１０を炊飯ＬＥＤ６ａあるいは保温ＬＥＤ６ｂのいずれか一方を点灯させる信号により通電状態とすることにより、制御手段４から通電切換手段１０への専用出力が不要となり、通電切換手段１０への専用出力を制御手段４に持たさずとも、第２の電源回路９を通電状態と停止状態の切換をすることができ、待機時など駆動手段３が動作しないモードにおいて第２の電源回路９で消費される不要な電力を低減することができる。
【００２６】
（実施の形態２）
図２は、本発明の実施の形態２の炊飯器のブロック図を示すものである。
【００２７】
図２に示すように、通電切換手段１０は、制御手段４から駆動手段３への出力信号により制御されるよう構成している。他の構成は上記実施の形態１と同じであり、同一符号を付して説明を省略する。
【００２８】
上記構成において動作を説明する。まず、炊飯器が商用交流電源７に接続されると、第１の電源回路８は商用交流電源７を直流電圧に変換し、出力電圧Ｖ１を制御手段４と入力手段５と表示手段６に供給する。待機状態において制御手段４は駆動手段３を動作させる必要のない状態であることから駆動手段３へ停止信号出力する。駆動手段３への信号は通電切換手段１０へも入力されることから、通電切換手段１０へは停止信号が入力されることになる。このことにより、待機状態における第２の電源回路９での不要な電力消費を低減することができる。
【００２９】
その後、使用者が入力手段５を操作するなどし、炊飯器が炊飯モードや保温モードになると、制御手段４は駆動手段３を駆動し加熱手段２を動作させ鍋１を加熱し、炊飯あるいは保温を行うため必要に応じ駆動手段３へ駆動信号を出力する。駆動手段３を動作させるためには第２の電源回路９からの電力供給がなされるよう通電切換手段１０を通電状態にする必要がある。
【００３０】
ここで、制御手段４から通電切換手段１０への信号は制御手段４から駆動手段３への信号と共用しているため、制御手段４が駆動手段３へ駆動信号を出力すると同時に通電切換手段１０は通電状態になり、第２の電源回路９から駆動手段３へ電力供給が開始され、駆動手段４は動作可能となる。
【００３１】
以上のように、本実施の形態においては、通電切換手段１０の切換信号を駆動手段３への信号と同一とすることにより、制御手段４から通電切換手段１０への専用出力が不要となり、通電切換手段１０への専用出力を制御手段４に持たさずとも第２の電源回路９を通電状態と停止状態の切換をすることができ、実際に駆動手段３が動作しない場合において第２の電源回路９で消費される不要な電力を低減することができる。
【００３２】
（実施の形態３）
図３は、本発明の実施の形態３の炊飯器のブロック図を示すものである。
【００３３】
図３に示すように、遅延手段１１は、駆動手段３と制御手段４の間に、入力された信号を所定の時間遅延した後出力するもので、駆動手段３への信号入力が通電切換手段１０への信号入力よりも所定の時間遅れるよう構成している。他の構成は上記実施の形態２と同じであり、同一符号を付して説明を省略する。
【００３４】
上記構成において動作を説明する。まず、炊飯器が商用交流電源７に接続されると、第１の電源回路８は商用交流電源７を直流電圧に変換し出力電圧Ｖ１を制御手段４と入力手段５と表示手段６に供給する。待機状態において制御手段４は駆動手段３を動作させる必要のない状態であることから駆動手段３へ停止信号出力する。駆動手段３への信号は通電切換手段１０へも入力されることから、通電切換手段１０へは停止信号が入力されることになる。このことにより待機状態における第２の電源回路９での不要な電力消費を低減することができる。
【００３５】
その後、使用者が入力手段５を操作するなどし、炊飯器が炊飯モードや保温モードになると、制御手段４は駆動手段３を駆動し加熱手段２を動作させ鍋１を加熱し、炊飯あるいは保温を行うため必要に応じ駆動手段３へ駆動信号を出力する。駆動手段３を動作させるためには第２の電源回路９からの電力供給がなされるよう通電切換手段１０を通電状態にする必要がある。
【００３６】
ここで、制御手段４から通電切換手段１０への信号は制御手段４から駆動手段３への信号と共用しているため、制御手段４から駆動手段３への駆動信号と通電切換手段１０への通電信号が同時に出力されるが、駆動手段３と制御手段４の間には入力された信号を所定の時間遅延した後出力する遅延手段１１を配していることから、実際の動作としては通電切換手段１０が通電状態になり、所定の時間経過後に駆動手段３は駆動されることになる。このとき、遅延手段１１が信号遅延を行う所定の時間は商用交流電源７から第２の電源回路９へ通電が開始された後、第２の電源回路９が駆動手段３を駆動するに必要な電力を出力開始する時間Ｔ１以上とする。
【００３７】
つぎに、加熱手段２による鍋１の加熱を停止するために制御手段４が駆動手段３へ停止信号を出力すると、制御手段４からの信号は駆動手段３へ伝達される以前に通電切換手段１０に停止信号として伝達され、通電切換手段１０は第２の電源回路９への電力供給を停止する。このことにより、第２の電源回路９から駆動手段３への電力供給が停止し駆動手段３は停止する。
【００３８】
以上のように、本実施の形態においては、通電切換手段１０の切換信号を駆動手段３への信号と同一とし、制御手段４から通電切換手段１０への専用出力が不要となり、通電切換手段１０への専用出力を制御手段４に持たさずとも第２の電源回路９を通電状態と停止状態の切換をすることができ、実際に駆動手段３が動作しない場合において第２の電源回路９で消費される不要な電力を低減することができる。
【００３９】
さらに、駆動手段３と制御手段４の間に、入力された信号を所定の時間遅延した後出力する遅延手段１１を設け、遅延手段１１の信号遅延を商用交流電源７から第２の電源回路９へ通電が開始された後、第２の電源回路９が駆動手段３を駆動するに必要な電力を出力開始する時間以上としていることから、駆動手段３を確実に動作させることができる。
【００４０】
（実施の形態４）
図４は、本発明の実施の形態４の炊飯器のブロック図を示すものである。
【００４１】
図４に示すように、鍋１は、駆動手段３により駆動される加熱手段２により加熱する。制御手段４は、炊飯器の動作を制御するもので、入力手段５より所定の信号を入力する。表示手段６は、炊飯器の状態を表示するものである。
【００４２】
第１の電源回路８は、商用交流電源７を直流電力に変換して出力電圧Ｖ１を出力し、制御手段４と入力手段５と表示手段６に電力を供給している。第２の電源回路９は、商用交流電源７を直流電力に変換して出力電圧Ｖ２を出力し、駆動手段３に電力を供給している。
【００４３】
通電切換手段１０は、商用交流電源７と第２の電源回路９の間に配置し、商用交流電源７から第２の電源回路９への電力供給を可能とする通電状態、または電力供給を停止する停止状態に切り換えるもので、駆動手段３は、通電切換手段１０により制御され、第２の電源回路９からの電力供給に応じ加熱手段２を駆動するよう構成している。
【００４４】
上記構成において動作を説明する。まず、炊飯器が商用交流電源７に接続されると、第１の電源回路８は商用交流電源７を直流電圧に変換し、出力電圧Ｖ１を制御手段４と入力手段５と表示手段６に供給する。待機状態において駆動手段３を動作させる必要のない状態である。したがって、駆動手段３へ電力供給する必要はないことから第２の電源回路９は動作しなくともよく、制御手段４は通電切換手段１０を停止状態にする。このことにより、待機状態における第２の電源回路９での不要な電力消費を低減することができる。
【００４５】
その後、使用者が入力手段５を操作するなどし、炊飯器が炊飯モードや保温モードになると加熱手段２を動作させて鍋１を加熱し、炊飯あるいは保温を行うため制御手段４は必要に応じ駆動手段３を動作させる。駆動手段３を動作させるためには、第２の電源回路９から駆動手段３への電力供給がなされるようにすればよい。よって、制御手段４は通電切換手段１０を通電状態にすれば、駆動手段３が動作し加熱手段２により鍋１が加熱される。逆に、駆動手段３を停止させるためには、第２の電源回路９から駆動手段３への電力供給がなされないよう通電切換手段１０を停止状態にすればよい。よって、制御手段４は通電切換手段１０を停止状態にすれば駆動手段３が動作せず加熱手段２により鍋１は加熱されない。
【００４６】
以上のように、本実施の形態においては、駆動手段３を第２の電源回路９からの電力供給に応じ加熱手段２を駆動するよう構成することにより、制御手段４から駆動手段３への専用出力が不要となり、駆動手段３への専用出力を制御手段４に持たさずとも第２の電源回路９を通電状態と停止状態の切換をすることができ、実際に駆動手段３が動作しない場合において第２の電源回路９で消費される不要な電力を低減することができる。
【００４７】
（実施の形態５）
図５は、本発明の実施の形態５の炊飯器のブロック図を示すものである。
【００４８】
図５に示すように、遅延手段１１は、入力された信号を所定の時間遅延出力するもので、通電切換手段１０から駆動手段３への信号を所定の時間遅延するよう構成し、第２の電源回路９の出力開始から所定の時間経過後に駆動手段３が加熱手段２を駆動するようにしている。他の構成は上記実施の形態４と同じであり、同一符号を付して説明を省略する。
【００４９】
上記構成において動作を説明する。まず、炊飯器が商用交流電源７に接続されると、第１の電源回路８は商用交流電源７を直流電圧に変換し、出力電圧Ｖ１を制御手段４と入力手段５と表示手段６に供給する。待機状態において駆動手段３を動作させる必要のない状態である。したがって、駆動手段３へ電力供給する必要はないことから第２の電源回路９は動作しなくともよく、制御手段４は通電切換手段１０を停止状態にする。このことにより、待機状態における第２の電源回路９での不要な電力消費を低減することができる。
【００５０】
その後、使用者が入力手段５を操作するなどし、炊飯器が炊飯モードや保温モードになると加熱手段２を動作させて鍋１を加熱し、炊飯あるいは保温を行うため制御手段４は必要に応じ駆動手段３を動作させる。駆動手段３を動作させるためには、第２の電源回路９から駆動手段３への電力供給がなされるようにすればよい。よって、制御手段４は通電切換手段１０を通電状態にする。
【００５１】
これにより、商用交流電源７より第２の電源回路９への電力供給がなされると、第２の電源回路９は駆動手段３への電力供給を開始するとともに駆動手段３への駆動信号を出力する。第２の電源回路９から駆動手段３へ出力される駆動信号は、入力信号を所定の時間遅延した後、出力する遅延手段１１を通過することから、実際の動作としては、通電切換手段１０が通電状態になり、第２の電源回路９が出力を開始し所定の時間経過後に駆動手段３は駆動されることになる。このとき、遅延手段１１が信号遅延を行う所定の時間は第２の電源回路９へ通電が開始された後、第２の電源回路９が駆動手段３を駆動するに必要な電力を出力開始する時間Ｔ１以上とする。
【００５２】
逆に、駆動手段３を停止させるためには、第２の電源回路９から駆動手段３への電力供給がなされないよう通電切換手段１０を停止状態にすればよい。よって、制御手段４は通電切換手段１０を停止状態にすれば駆動手段３が動作せず、加熱手段２により鍋１は加熱されない。
【００５３】
以上のように、本実施の形態においては、駆動手段３を第２の電源回路９からの電力供給に応じ加熱手段２を駆動するよう構成することにより、制御手段４から駆動手段３への専用出力が不要となり、駆動手段３への専用出力を制御手段４に持たさずとも第２の電源回路９を通電状態と停止状態の切換をすることができ、実際に駆動手段３が動作しない場合において第２の電源回路９で消費される不要な電力を低減することができる。
【００５４】
さらに、遅延手段１１を設けることにより、駆動手段３は第２の電源回路９が駆動手段３を駆動するに必要な電力を出力後に駆動することになり、駆動手段３を確実に動作させることができ、信頼性を向上することができる。
【００５５】
（実施の形態６）
図６は、本発明の実施の形態６の炊飯器のブロック図を示すものである。
【００５６】
図６に示すように、第２の制御手段１２は、第２の電源回路９の出力が所定の電圧以上であることを検知すると、第２の電源回路９の出力が停止するまで駆動手段３を駆動し続けるよう構成している。他の構成は上記実施の形態４または５と同じであり、同一符号を付して説明を省略する。
【００５７】
上記構成において動作を説明する。まず、炊飯器が商用交流電源７に接続されると、第１の電源回路８は商用交流電源７を直流電圧に変換し、出力電圧Ｖ１を制御手段４と入力手段５と表示手段６に供給する。待機状態において駆動手段３を動作させる必要のない状態である。したがって、駆動手段３へ電力供給する必要はないことから第２の電源回路９は動作しなくともよく、制御手段４は通電切換手段１０を停止状態にする。このことにより、待機状態における第２の電源回路９での不要な電力消費を低減することができる。
【００５８】
その後、使用者が入力手段５を操作するなどし、炊飯器が炊飯モードや保温モードになると加熱手段２を動作させ鍋１を加熱し、炊飯あるいは保温を行うため制御手段４は必要に応じ駆動手段３を動作させる。駆動手段３を動作させるためには、第２の電源回路９から駆動手段３への電力供給がなされるようにすればよい。よって、制御手段４は通電切換手段１０を通電状態にする。これにより、商用交流電源７より第２の電源回路９への電力供給がなされると、第２の電源回路９は駆動手段３への電力供給を開始する。
【００５９】
第２の制御手段１２は第２の電源回路の出力電圧をモニターしており、第２の電源回路９の出力電圧が駆動手段３を駆動するに充分な電圧Ｖ３以上になれば駆動手段３へ駆動信号を出力する。第２の制御手段１２は一度駆動手段３へ駆動信号を出力すると、第２の電源回路９の出力が停止するまでは駆動手段３へ駆動信号を出力しつづけるよう構成されていることから、駆動手段３を停止させるためには第２の電源回路９から駆動手段３への電力供給がなされないよう通電切換手段１０を停止状態にすればよい。よって、制御手段４は通電切換手段１０を停止状態にすれば駆動手段３が動作せず加熱手段２による鍋１への加熱を停止することができる。
【００６０】
以上のように、本実施の形態においては、駆動手段３を第２の電源回路９からの電力供給に応じ加熱手段２を駆動するよう構成することにより、制御手段４から駆動手段３への専用出力が不要となり、駆動手段３への専用出力を制御手段４に持たさずとも第２の電源回路９を通電状態と停止状態の切換をすることができ、実際に駆動手段３が動作しない場合において第２の電源回路９で消費される不要な電力を低減することができる。
【００６１】
さらに、第２の制御手段１２をを設けることにより、駆動手段３は第２の電源回路９が駆動手段３を駆動するに必要な電圧Ｖ３出力後に駆動し、かつ駆動を継続することができ、駆動手段３を確実に動作させることができ、信頼性を向上することができる。
【産業上の利用可能性】
【００６２】
以上のように、本発明にかかる炊飯器は、制御手段に通電切換手段を制御する専用出力を付与せずとも通電切換手段を制御することができ、動作不要時における不要な消費電力を低減することができるので、鍋を加熱する加熱手段を駆動手段により駆動し、駆動手段を炊飯器の動作を制御する制御手段により制御するよう構成した炊飯器として有用である。
【図面の簡単な説明】
【００６３】
【図１】本発明の実施の形態１における炊飯器のブロック図
【図２】本発明の実施の形態２における炊飯器のブロック図
【図３】本発明の実施の形態３における炊飯器のブロック図
【図４】本発明の実施の形態４における炊飯器のブロック図
【図５】本発明の実施の形態４における炊飯器のブロック図
【図６】本発明の実施の形態５における炊飯器のブロック図
【図７】従来の炊飯器のブロック図
【符号の説明】
【００６４】
１  鍋
２  加熱手段
３  駆動手段
４  制御手段
５  入力手段
６  表示手段
７  商用交流電源
８  第１の電源回路
９  第２の電源回路
１０  通電切換手段
【図１】
2005130990.tif 000003
【図２】
2005130990.tif 000004
【図３】
2005130990.tif 000005
【図４】
2005130990.tif 000006
【図５】
2005130990.tif 000007
【図６】
2005130990.tif 000008
【図７】
2005130990.tif 000009